(57)【要約】【課題】スポーツフォームの練習のために練習者を撮影した映像のように、時間的に同一パターンの類似の映像が多数繰り返し存在する場合に、その中から所定の類似部分だけを自動的に抽出して動画像ファイルとして記録することを可能にする。【解決手段】連続する一連の動画像信号を生成する生成手段（１０１〜１０６）と、前記生成手段によって生成された一連の動画像信号を記録媒体（１１２）に記録する記録手段（１１０）と、前記記録媒体に記録された一連の動画像信号から、与えられた指示信号に対応するフレーム画像の前後の所定期間に亘る動画像信号を抽出する抽出手段（１１３）と、前記抽出手段によって抽出された動画像信号を基に１つの動画像ファイルを作成するファイル作成手段（１１３、１１０）とを備える。【選択図】      図１
2004173202.tif 000002
【特許請求の範囲】
【請求項１】
連続する一連の動画像信号を生成する生成手段と、
前記生成手段によって生成された一連の動画像信号を記録媒体に記録する記録手段と、
前記記録媒体に記録された一連の動画像信号から、与えられた指示信号に対応するフレーム画像の前後の所定期間に亘る動画像信号を抽出する抽出手段と、
前記抽出手段によって抽出された動画像信号を基に１つの動画像ファイルを作成するファイル作成手段と
を備えることを特徴とする映像記録装置。
【発明の詳細な説明】
【０００１】
【発明の属する技術分野】
本発明は、映像記録装置に関し、特に、スポーツフォームの練習のために練習者を撮影した映像のように、時間的に同一パターンの類似の映像が多数繰り返し存在する映像を撮影し、効率的に再生することを可能ならしめる映像記録装置に関する。
【０００２】
【従来の技術】
従来、映像を取り込むカメラ部分と、映像データを記録するＶＴＲ（Ｖｉｄｅｏ  Ｔａｐｅ  Ｒｅｃｏｒｄｅｒ）とが一体となったビデオカメラが広く普及している。また、映像を記録するためのＶＴＲ部は、デジタル化が進んだために、テープだけでなく、半導体メモリ、ハードディスクドライブ（ＨＤＤ）、光ディスク（ＭＯ；Ｍａｇｎｅｔｏ  Ｏｐｔｉｃａｌ  ｄｉｓｋ）、ＤＶＤ（Ｄｉｇｉｔａｌ  Ｖｅｒｓａｔｉｌｅ  Ｄｉｓｋ）などを利用したものが商品化されつつある。
【０００３】
ところで、一般的なビデオカメラの利用方法として、子供の成長記録、行楽や旅行での記録、スポーツフォームの練習などに使用されることが考えられる。特に、スポーツフォームの練習では、一緒に同行している第三者によって撮影してもらったり、例えばゴルフ練習場など、撮影場所を移動しないでのフォームチェックでは、ビデオカメラをどこかに置いて、または三脚などに固定して、撮影開始ボタンを押したきりで、流し撮りしたりすることが多かった。
【０００４】
このようにゴルフスイングを撮影、記録する従来技術が、例えば特許文献１に記載されている。
【０００５】
【特許文献１】
特開平６−３９０７０号公報
【０００６】
【発明が解決しようとする課題】
しかしながら、ゴルフ練習場でのスイングチェックにビデオカメラを利用した場合においては、従来、単にビデオカメラで練習フォームの映像を流し撮りするだけであり、このため、実際にボールを打つ際のスイングに関係する映像以外に、素振りやクラブ交換などの余分で冗長な映像も含まれてしまう。更に、記録された映像を再生してスイングのフォームチェックを行う際にも、余分で冗長な映像も含まれる映像では、スイング部分の映像の頭出しなどの作業が煩雑にならざるを得なかった。
【０００７】
また、スキー競技のポール回転練習、競技などにビデオカメラを利用した場合においても、いつ滑り出すか分からなかったり、斜面変化により、上方での競技者が見えなかったりする場合などがあり、単にビデオカメラで映像を流し撮りしただけでは、実際に撮りたい範囲での練習者、選手のスキーの滑り以外に、余分で冗長な映像も含まれてしまい、更に、記録された各練習者、選手の滑りのフォームチェックなどを行う際にも、頭出しなどの作業は煩雑にならざるを得なかった。
【０００８】
本発明はこのような問題点に鑑みてなされたものであって、スポーツフォームの練習のために練習者を撮影した映像のように、時間的に同一パターンの類似の映像が多数繰り返し存在する場合に、その中から所定の類似部分だけを自動的に抽出して動画像ファイルとして記録することを可能にした映像記録装置を提供することを目的とする。
【０００９】
【課題を解決するための手段】
上記目的を達成するために、請求項１記載の発明によれば、連続する一連の動画像信号を生成する生成手段と、前記生成手段によって生成された一連の動画像信号を記録媒体に記録する記録手段と、前記記録媒体に記録された一連の動画像信号から、与えられた指示信号に対応するフレーム画像の前後の所定期間に亘る動画像信号を抽出する抽出手段と、前記抽出手段によって抽出された動画像信号を基に１つの動画像ファイルを作成するファイル作成手段とを備えることを特徴とする映像記録装置が提供される。
【００１０】
【発明の実施の形態】
以下、本発明の実施の形態を、図面を参照して説明する。
【００１１】
［第１の実施の形態］
図１は、本発明に係る映像記録装置の第１の実施の形態の構成を示すブロック図である。この映像記録装置は、映像記録媒体にハードディスクドライブ（以下「ＨＤＤ」という）を用いたデジタルＨＤＤカメラ（以下「ＨＤＣ」（Ｈａｒｄ  Ｄｉｓｋ  Ｃａｍｅｒａ）という）である。
【００１２】
図１において、１０１はＨＤＣのレンズ部であり、被写体を撮像するためのズーム機能付きレンズから構成される。
【００１３】
１０２は撮像素子であり、ＣＣＤ（Ｃｈａｒｇｅ  Ｃｏｕｐｌｅｄ  Ｄｅｖｉｃｅ）で構成され、レンズ部１０１を介して入力された光像を電気信号に変換する。撮像素子１０２は例えば、総画素数６８万画素、有効画素数３６万画素のＣＣＤからなり、有効画素エリアの外のエリアは、電気的画像処理によって実現される手ブレ補正機能のために使用される。
【００１４】
１０３は撮像素子駆動部であり、後述のカメラ信号処理部１０６から送られるタイミング信号に従って撮像素子１０２を駆動する。
【００１５】
１０４はＣＤＳ（Ｃｏｒｒｅｌａｔｅｄ  Ｄｏｕｂｌｅ  Ｓａｍｐｌｉｎｇ）・ＡＧＣ（Ａｕｔｏ  Ｇａｉｎ  Ｃｏｎｔｒｏｌｌｅｒ）部であり、撮像素子１０２からのアナログ信号をサンプリングすると共に、後述のシステム制御部１１３からの制御信号により、信号レベルのゲインコントロールを行う。
【００１６】
１０５はＡ／Ｄ（Ａｎａｌｏｇ  ｔｏ  Ｄｉｇｉｔａｌ）変換器であり、ＣＤＳ・ＡＧＣ部１０４から送られたアナログ信号をデジタル信号に変換する。
【００１７】
１０６はカメラ信号処理部であり、タイミング生成や、ＡＥ（Ａｕｔｏ  Ｅｘｐｏｓｕｒｅ）制御、ＡＦ（Ａｕｔｏ  Ｆｏｃｕｓ）制御など、後述のシステム制御部１１３と連携して、カメラ撮像系の制御を担う。
【００１８】
１０７はマイクであり、撮像系を経て入力された映像と合わせて周囲の音を記録したり、音による制御を行うための集音を行う。
【００１９】
１０８はメモリ制御部であり、後述の汎用記憶部１０９を制御すると共に、カメラ信号処理部１０６からの映像信号を後述のビデオ制御部１１０とシステム制御部１１３と協調して、ＭＰＥＧ２へのエンコードまたはデコードを行い、後述のＨＤＤ１１２への記録またはＨＤＤ１１２からの読み出しを行う。
【００２０】
１０９は汎用記憶部であり、本発明に係る各種制御手段を実現するためのプログラムおよびデータ等を納めるＲＯＭ、及び映像処理やプログラム実行の作業領域を提供するＲＡＭからなる。
【００２１】
１１０はビデオ制御部であり、ＭＰＥＧ２の符号器および復号器を含み、ＭＰＥＧ２へのエンコード／デコードを行い、ＨＤＤ１１２への書き込み又はＨＤＤ１１２からの読み出し制御を行う。通常、符号器では、入力画像を動き予測して、その残差信号を離散コサイン変換（ＤＣＴ；Ｄｉｓｃｒｅｔｅ  Ｃｏｓｉｎｅ  Ｔｒａｎｓｆｏｒｍ）し、量子化、ジグザグスキャンまたはオルタネートスキャン、可変長符号化（ＶＬＤ；Ｖａｒｉａｂｌｅ  Ｌｅｎｇｔｈ  Ｄｅｃｏｄｉｎｇ）処理を行いエンコードする。復号器では、符号器の逆の順序で処理を行い、デコードを行って復号画像を得る。また、撮像系から入力されるデジタル映像信号と、後述のキャラクタジェネレータ部１１１で生成されるテキストタイトルや、後述の外部映像情報記録用の外部記録媒体１１５に記録されている画像情報とを、システム制御部１１３と連携して合成するなどの制御も行う。
【００２２】
１１１はキャラクタジェネレータ部であり、表示するための文字や記号の画素（ビット）パターンが記録された内蔵の読み出し専用メモリ（ＲＯＭ）から、文字や記号のキャラクタを読み出す。この読み出しは、システム制御部１１３を介して後述の計時部１１７から読み出した日時を基に行う。そしてビデオ制御部１１０において、合成したい映像（画面）の水平および垂直同期信号に応じて、この読み出した文字や記号のキャラクタがビデオ信号に合成され、ＨＤＤ１１２により記録される。
【００２３】
１１２はＨＤＤ（Ｈａｒｄ  Ｄｉｓｋ  Ｄｒｉｖｅ）であり、ビデオ制御部１１０によりＭＰＥＧ２フォーマットにエンコードされた映像信号が保存される。一方、再生動作時には記録されている映像データが読み出される。ここでは、映像信号の記録媒体としてＨＤＤをあげているが、これに代わって、大容量メモリカードや追記型のＤＶＤメディアなどを使用するようにしてもよい。無論、記録フォーマットもＭＰＥＧ２に限定されるものではなく、他の形式の記録フォーマットを応用することも可能である。
【００２４】
１１３は、本発明に係る各制御処理を実行するためのシステム制御部である。この各制御処理については、図２および図３を参照して後述する。
【００２５】
１１４は外部記録媒体接続インタフェースであり、ここでは、メモリカードのスロットから成る。
【００２６】
１１５は外部記録媒体であり、ここではメモリカードからなる。
【００２７】
１１６は入力操作部であり、特に図示はしないが、選択ボタンや決定ボタン、各種モードボタンなどを備えている。
【００２８】
１１７は計時部であり、リアルタイムクロック（ＲＴＣ）とバックアップ電池とを備え、日時をカウントしており、システム制御部１１３からの要求に応じて、日時情報を返信する。
【００２９】
１１８はＤ／Ａ（Ｄｉｇｉｔａｌ  ｔｏ  Ａｎａｌｏｇ）変換器であり、ＨＤＤ１１２に記録された映像情報がビデオ制御部１１０によってデコードされることによって得られたデジタル信号をアナログ信号に変換して、表示部１１９に送る。
【００３０】
１１９は表示部であり、ＥＶＦ（Ｅｌｅｃｔｒｉｃａｌ  Ｖｉｅｗ  Ｆｉｎｄｅｒ）やＬＣＤ表示パネルで構成され、ＨＤＤ１１２で記録が行われる際には撮像系からの入力映像を表示し、再生が行われる際には、ＨＤＤ１１２に記録されている映像を表示する。また、操作部１１６からのユーザによる入力操作情報や、外部記録媒体１１５内の任意の画像情報などを表示する。
【００３１】
１２０はジャイロセンサであり、ビデオカメラ本体のブレ、振動を検出し、その情報をシステム制御部１１３に伝える。ジャイロセンサ１２０からブレの角変位、角速度、角加速度などの検出情報を受けたシステム制御部１１３は、ブレを打ち消す演算を行い、その結果を用いて撮像素子１０２から読み出すべき有効画素エリアを制御する。
【００３２】
こうした構成のＨＤＣにおいて例えば、ゴルフ練習場での打ちっぱなし練習を撮影する場合、撮影映像におけるそれぞれのゴルフスイング間の冗長な部分を排除した記録を実現する。ここでは、ボールに対してインパクトしたタイミングを基準として、その前後の所定の映像区間だけを１つの動画像ファイルとして記録する制御手法を実現している。
【００３３】
基準となるインパクトのタイミングを検出するにあたっては、インパクトの音の検出、撮影映像中でのボールが打たれたことの検出、これら音と映像とを組み合わせた検出などが考えられるが、ゴルフ練習場という状況に鑑みて、他の練習者のインパクト音が影響してしまう音のみによる検出や、照明や練習ボールの表面状態の影響を受ける映像のみによる検出を避け、音と映像とを組み合わせた検出を行うことにする。無論、ゴルフ練習場以外での状況下などで、音のみによる検出や映像のみによる検出を適宜、選択できるようにしてもよい。
【００３４】
また、上記の制御手法により複数記録された動画像ファイルを再生する際の利便性を考慮して、撮影中に、再生時に再生すべき動画像ファイルやその再生順序等を指定するプレイリスト（再生リスト）を同時に作成するようにする。このプレイリストに従って再生を行うことによって、異なる日時や場所で作成され、ＨＤＤ１１２に記録された複数の動画像ファイルを所望の順序で連続して再生することができる。
【００３５】
従来、撮影開始や終了を別途センサ等により検出するだけのものや、映像をリングバッファに記録して、必要な映像の部分だけ上書きを禁止するような記録再生システムは存在したが、本発明は、それらとは異なる、動画像ファイルを生成するためのファイル生成手段を提供するものである。
【００３６】
図２および図３は、システム制御部１１３において実行される制御処理の手順を示すフローチャートである。
【００３７】
ステップＳ２０１のスタートで、カメラの電源を投入し、レンズ１０１を介して入力された映像が表示部１１９に表示されるようにする。そして、撮影開始前の準備として、まず撮影者（この場合は、ゴルフ練習する本人）が、自分がゴルフショットの練習をする際の姿と打つボールとが映るように、カメラを置く位置やズーム量などを調整してアングルを決める。
【００３８】
ステップＳ２０２では、ステップＳ２０１で決めたアングルにおいて、図４の撮影シーン「３−１」に示す画面「あ」に示すように、ゴルフボール２０１を囲むように矩形領域２０２を指定する。矩形領域２０２は、映像変化を検出すべき領域を指定するものであり、矩形領域２０２の位置指定にあたっては、操作部１１６に含まれる十字キーを用いるものとする。なお図４については後に詳述する。
【００３９】
ユーザは、矩形領域２０２の指定が完了したとき、操作部１１６に含まれる決定ボタンを押すことになっているが、ステップＳ２０３では、この決定ボタンが押されたか否かを検出する。決定ボタンが押されたことが検出されると、撮影開始の準備が整ったこととなり、ステップＳ２０４に進む。
【００４０】
ステップＳ２０４では、操作部１１６に含まれる撮影開始ボタンが押されたか否かを検出し、撮影開始ボタンが押されるとステップＳ２０５に進み、記録媒体であるＨＤＤ１１２に動画像信号の記録が開始される。ここでは、動画像信号の記録先として、ランダムアクセス可能なＨＤＤ１１２を対象としている。無論、半導体メモリやＤＶＤメディアなどを動画像信号の記録先として使用してもよい。
【００４１】
ステップＳ２０５の処理内容を更に詳述すれば、レンズ１０１を介して入力された映像信号に一連の画像処理が行われ、その後、ビデオ制御部１１０でＭＰＥＧ２にエンコードされて得られたデータを、ＨＤＤ１１２内の任意に決められた動画像バッファ記録領域に書き込む。同時に、撮影映像はＤ／Ａ１１８を介して表示部１１９に表示される。
【００４２】
ここで、図４〜図６について説明する。図４〜図６は、撮影シーン「３−１」、撮影の流れ「３−２」、撮影データ「３−３」、フォーマット形態「３−４」、ファイル構成「３−５」を表したイメージ図である。
【００４３】
撮影シーン「３−１」の画面「あ」、「Ａ」、「Ｂ」、「Ｃ」、「Ｄ」は、ゴルフボール及びゴルフのスイングのイメージを表している。画面「あ」は、前述のようにステップＳ２０２でゴルフボール２０１に対して矩形領域２０２を指定する画面であり、画面「Ａ」は、練習者がスイング開始前にゴルフボール２０１にアドレスした様子を示す画面であり、画面「Ｂ」は練習者がテイクバックした様子を示す画面であり、画面「Ｃ」は練習者がボールをインパクトする瞬間を示す画面であり、画面「Ｄ」は練習者がフォロースルーしてフィニッシュした様子をそれぞれ示す画面である。
【００４４】
撮影の流れ「３−２」は、ステップＳ２０４で撮影開始してからの練習者の各ゴルフショットの動作の流れを表している。撮影の流れ「３−２」の中の斜線で表された「ａ」、「ｂ」、「ｃ」の部分が、撮影したい動作部分「スイング１」、「スイング２」、「スイング３」とは異なる冗長な部分を示している。
【００４５】
撮影データ「３−３」は、ＨＤＤ１１２上の動画像バッファ記録領域に記録される一連の動画像データを示しており、所定の記憶容量に達すると、領域の最初の部分から上書きされるリングバッファ形態となっている。
【００４６】
フォーマット形態「３−４」は、一連の動画像データのフォーマット形態を表しており、ＭＰＥＧ２のＳＨ（Ｓｅｑｕｅｎｃｅ  Ｈｅａｄｅｒ）とＧＯＰ（Ｇｒｏｕｐ  ｏｆ  Ｐｉｃｔｕｒｅｓ）の連続した様子を示している。映像データ（ＭＰＥＧのストリーミングデータ）の始めには、画面の水平／垂直サイズやアスペクト比、フィールド／フレームレートなどの各種画面フォーマットなどを指定するシーケンスヘッダ（ｓｅｑｕｅｎｃｅｈｅａｄｅｒ  ｃｏｄｅ）が付加され、タイプの異なる複数のピクチャが並んだグループ構成のＧＯＰと合わせて記録される。ＧＯＰは少なくとも１枚のＩピクチャ（Ｉｎｔｒａ−ｃｏｄｅｄ  ｐｉｃｔｕｒｅ）を含み、それ以外に、Ｐピクチャ（Ｐｒｅｄｉｃｔｉｖｅ−ｃｏｄｅｄ  ｐｉｃｔｕｒｅ）、Ｂピクチャ（Ｂｉｄｉｒｅｃｔｉｏｎａｌｌｙ  ｐｒｅｄｉｃｔｉｖｅ−ｃｏｄｅｄ  ｐｉｃｔｕｒｅ）が含まれることがあり、通常、１５〜３０ピクチャ程度の比較的短いＧＯＰ構造をとる。
【００４７】
Ｉピクチャは、他のピクチャ情報を使用せず、それ自身のピクチャ情報のみで符号化されているフレーム内符号化画像であり、Ｐピクチャは、過去のＩピクチャまたは後述するＰピクチャを参照ピクチャとして、時間軸上で前向き動き予測符号化されているフレーム間順方向予測符号化画像であり、Ｂピクチャは、過去と将来のＩピクチャまたはＰピクチャを参照ピクチャとして、時間軸上で前向きおよび後ろ向きの動き予測符号化されている双方向予測符号化画像である。
【００４８】
Ｉピクチャは、他のピクチャとは独立して復号化が可能であるので、ランダムアクセス時のアクセス点として利用可能である。また、Ｐピクチャの復号化には過去のＩピクチャの情報が必要であり、Ｂピクチャの復号化には過去と将来のＩピクチャまたはＰピクチャの情報が必要である。動きの速い映像では、動画像を鮮明にするために、ある程度圧縮率を犠牲にしてＢピクチャを入れない制御を行う場合も多い。
【００４９】
ＭＰＥＧ２でのこれら３つのピクチャタイプの構成は、符号器の仕様によって、すなわち圧縮率、ランダムアクセス機能、遅延時間の優先度に応じて構成される。
【００５０】
またここでは、一連の動画像データの中から特定のデータだけをファイルとして取り出すことを前提としているので、符号化時に、前後のＧＯＰと関係なく復号可能なクローズドＧＯＰを用いることとする。
【００５１】
音（オーディオ）に関しては、特に図示していないが、ＭＰＥＧ２のフォーマットに従い、複数の映像データの間に、適宜位置するものとする。
【００５２】
ファイル構成「３−５」は、後述するステップＳ２１２で転送（コピー）開始されたときに、一連の動画像データの中から、ＨＤＤ１１２上の別領域に記録される特定のデータを示している。
【００５３】
図２に戻って、ステップＳ２１７で、ユーザにより操作部１１６の撮影終了ボタンが押されたか否かを検出し、押された場合にはステップＳ２１８に進み、押されていない場合にはステップＳ２０６に進む。
【００５４】
ステップＳ２０６では、ゴルフ練習におけるボールのショット音（インパクト音）の検出を行う。検出方法は、どのようなものでもよいが、例えばマイク１０７からの入力信号を、カメラ信号処理部１０６に内蔵されたＡＤ変換器によりデジタルに変換した後に、その音量の強さがある閾値を超え、かつ閾値を超えている時間的な長さが、ボールのショット音として適当な長さと同じであること、というような判断基準などで、上記の検出を行う。
【００５５】
この間も、撮影映像（動画信号）はＨＤＤ１１２の動画像バッファ記録領域への記録を継続している。
【００５６】
ステップＳ２０７では、ゴルフボールのショット音が検出されたことを受けて、ステップＳ２０２で指定した矩形領域２０２内での映像変化を検出する。ゴルフボール２０１が打たれたことを検出するための映像変化の認識方法は多種考えられるが、ここでは、指定した矩形領域２０２内の映像データの輝度および色差の変化を監視するものとする。カメラ信号処理部１０６に入力される撮影画像のデータは、撮像素子（ＣＣＤ）１０２が原色系のフィルタを用いたものか、補色系のフィルタを用いたものかにより異なるが、いずれにしてもカメラ信号処理部１０６においては、ＲＧＢではなく、Ｙ、Ｃｒ、Ｃｂの輝度、色差成分が処理対象として取り扱われるのが一般的である。ここでは、ゴルフボールが白いことを利用して、ステップＳ２０２で指定した矩形領域２０２における例えば平均輝度（Ｙ）がある閾値よりも小さくなったことや、平均色差（Ｃｒ、Ｃｂ）成分がある閾値よりもそれぞれ大きくなったり小さくなったりしたこと（理想的な白１００％をデジタル２５６階調で考えたとき、Ｃｒ、Ｃｂはそれぞれ１２８とする）を検出して、ゴルフボールが打たれたと認識するものとする。
【００５７】
厳密な検出方法は多種考えられるが、その検出方法が本発明の本質に影響するものではない。
【００５８】
ステップＳ２０８では、ゴルフボール２０１が打たれたことの検出を受けて、動画像ファイルを作成するため、ステップＳ２０５で記録開始され連続してＨＤＤ１１２に記録されている一連の動画像信号の内、現在記録しようとしているフレーム（画像）のタイムコードを取得し保持する。タイムコード取得は、ＧＯＰの先頭のＧＯＰヘッダ（ｇｒｏｕｐ  ｏｆ  ｐｉｃｔｕｒｅｓ  ｈｅａｄｅｒ）を検出して、ＧＯＰヘッダ内に含まれるビデオデータのタイムコード（ｔｉｍｅ  ｃｏｄｅ）を参照する。
【００５９】
ステップＳ２０９では、連続して記録している一連の動画信号の内、現在記録しようとしているフレーム（画像）に対応して、再生時に検索フラグとして利用するためのトリガフラグをヘッダ情報等とともにＨＤＤ１１２に記録する。
【００６０】
ステップＳ２１０では、ステップＳ２０５で記録開始され連続してＨＤＤ１１２に記録されている一連の動画像信号の内、ステップＳ２０８で保持したタイムコード（トリガ位置を示す時刻情報）を基に、第１の所定時間だけ遡ったフレーム（画像）を検索（ランダムアクセス）する。この例では、ゴルフのスイング練習を対象としているので、第１の所定時間は、スイングの開始タイミングからゴルフボールが打たれたタイミングまでの期間に少なくとも相当し、例えば５秒に設定するものとする。なお、トリガ位置（ゴルフボールが打たれたタイミング）からスイングの終了タイミングまでの期間に少なくとも相当する第２の所定時間（例えば３秒）とする。これら第１および第２の所定時間は、ユーザにより任意に設定できるように構成するようにしてもよい。なお第１および第２の所定時間を合算した時間を第３の所定時間とする。
【００６１】
ステップＳ２１１では、ステップＳ２１０で検索した、トリガ位置のフレーム（画像）から第１の所定時間遡ったフレーム（画像）を先頭とする第３の所定時間分の動画像データの上に、ＨＤＤ１１２に書き込み中の一連の動画像データを上書きしないように、ＨＤＤ１１２のファイル管理をしているＦＡＴ（Ｆｉｌｅ  Ａｌｌｏｃａｔｉｏｎ  Ｔａｂｌｅ）情報を管理する。
【００６２】
ステップＳ２１２では、第３の所定時間分の動画像データを１つのファイルとして、ステップＳ２０５で記録開始された一連の動画像信号を記録しているＨＤＤ１１２の動画像バッファ記録領域とは別の領域に、転送（コピー）開始する。これによって動画像ファイルが作成される。
【００６３】
ステップＳ２１３では、上記第３の所定時間分のフレーム（画像）が全部転送されたか否かを判断し、転送が完了していればステップＳ２１４に進む。なお、ステップＳ２０５で開始された一連の動画像データの記録を、ステップＳ２１２で開始された動画像ファイルの作成のための転送（コピー）が映像上、追い越さないものとする。
【００６４】
ステップＳ２１４では、ステップＳ２１２で開始された動画像の転送（コピー）を終了し、１つの動画像ファイルの作成を終了する。ここでは、トリガ位置のフレームの前の第１の所定時間（５秒）、後の第２の所定時間（３秒）の合計８秒分の動画像を１つのファイルとして作成したことになる。
【００６５】
ステップＳ２１５では、ステップＳ２１１で、作成する動画像ファイルのコピー元の上に、ＨＤＤ１１２に書き込み中の一連の動画像データが上書きされないようにしたＦＡＴ情報を、上書き可能なように変更（開放）する。
【００６６】
ステップＳ２１６では、動画像ファイルとして作成されたファイルのファイル名を再生時のプレイリストファイルとしてＨＤＤ１１２の別途領域に登録する。プレイリストのファイル名は、任意のものに設定されるが、それに撮影日時などを加えるようにしてもよい。
【００６７】
前述したステップＳ２１７で、ユーザにより操作部１１６の撮影終了ボタンが押されたか否かを検出し、押された場合にはステップＳ２１８に進み、ＨＤＤ１１２に一連の動画像データを記録することを終了する（Ｓ２１９）。撮影終了ボタンが押されるまでは、ステップＳ２０６〜Ｓ２１６による一連の制御が繰り返される。
【００６８】
なお、ステップＳ２１８では、ユーザから撮影終了指示をされたことを受けて、ステップＳ２０５で開始されたＨＤＤ１１２への動画像データ（ＭＰＥＧ２ストリーミングデータ）の記録を終了する。ステップＳ２１９で、本処理を終了し、必要に応じてステップＳ２０１で再びスタートする。
【００６９】
ところで、図３中の点線で示したステップＳ２＊は、ステップＳ２１２〜Ｓ２１５の代わりに実行するステップとして想定したものである。すなわち、ステップＳ２１２〜Ｓ２１５のように、トリガ位置のフレームを中心にその前後のフレームの動画像データを１つの動画像ファイルとして作成する際に、一連の動画像データを記録している動画像バッファ記録領域から別の領域に転送（コピー）することによってファイル作成を行うのではなく、ステップＳ２＊では、動画像バッファ記録領域内で、ＨＤＤ１１２のＦＡＴ情報を変更することによってファイル作成を行う。ステップＳ２＊による方法では、データを移動することなくファイル化するが可能である。
【００７０】
以上により、従来は、ゴルフ練習場でのスイングチェックなどのために、単にビデオカメラで映像を流し撮りしただけでは、実際のスイングに関係する映像以外に余分な映像も含まれてしまい、無駄な記録をしてしまうことになる。更に、記録されたスイングのフォームチェックを行う際にも、頭出しなどの作業が煩雑にならざるを得なかった。これに対して本発明では、スイングのフォームチェックに必要となる部分だけを自動的に取り出してファイルが作成されるので、上記のような不都合を解消することができる。
【００７１】
［第２の実施の形態］
次に第２の実施の形態を説明する。
【００７２】
第２の実施の形態の構成は、基本的に第１の実施の形態の構成と同じである。そのため、第２の実施の形態の説明においては、第１の実施の形態の構成を流用し、その説明を省略する。
【００７３】
第２の実施の形態では、システム制御部１１３において実行される制御処理の手順が、第１の実施の形態における制御処理の手順と異なる。すなわち、動画像ファイルを作成する基準となるトリガ位置の決め方と、そのトリガ位置を基準する前後の映像範囲の決め方とが第１の実施の形態とは異なる。
【００７４】
第１の実施の形態では、音（声）と映像とを基にしてトリガ位置を自動的に検出するようにしている。また、トリガ位置に対応したフレーム（画像）の前後の動画像信号を、予め設定された第１及び第２の所定時間に亘って抽出して動画像ファイルを作成するようにしている。
【００７５】
これに対して、第２の実施の形態では、トリガ位置および第１及び第２の所定時間に相当する期間を、撮影対象に合わせて撮影者が適宜指定する。
【００７６】
図７および図８は、第２の実施の形態におけるシステム制御部１１３において実行される制御処理の手順を示すフローチャートである。
【００７７】
ステップＳ４０１のスタートで、ＨＤＣの電源を投入し、表示部１１９にレンズ１０１を介して入力された映像が表示される。第２の実施の形態では、スキー練習または競技中の人ではない別の人が撮影していることを前提とする。
【００７８】
ステップＳ４０２では、操作部１１６に含まれる撮影開始ボタンが押されたことを検出し、この検出後にステップＳ４０３に進み、記録媒体であるＨＤＤ１１２に記録を開始する。ここでは、動画像記録先として、ランダムアクセス可能なＨＤＤを対象としているが、無論、半導体メモリや、ＤＶＤメディアなどを動画像記録媒体として使用するようにしてもよい。
【００７９】
ステップＳ４０３では、撮像素子１０２から入力された映像信号に一連の映像処理が施され、ビデオ制御部１１０でＭＰＥＧ２にエンコードされて得られたデータが、ＨＤＤ１１２の所定の動画像バッファ記録領域に書き込まれる。同時に、撮影映像は、Ｄ／Ａ１１８を介してＬＣＤなどの表示部１１９に表示される。
【００８０】
ここで、図９〜図１１について説明する。図９〜図１１は、撮影シーン「５−１」、撮影の流れ「５−２」、撮影データ「５−３」、フォーマット形態「５−４」、ファイル構成「５−５」を表したイメージ図である。
【００８１】
撮影シーン「５−１」の画面「Ｅ」、「Ｆ」、「Ｇ」は、スキーのポール競技で、選手（滑走者）が斜面上方から滑り降りて来るイメージを表しており、「Ｅ」→「Ｆ」→「Ｇ」と選手が上から滑って来ており、撮影者に近づいてきているイメージである。
【００８２】
撮影の流れ「５−２」は、ステップＳ４０２で撮影開始してからの選手の各滑降動作の流れを表している。撮影の流れ「５−２」の中の斜線で表された「ｅ」、「ｆ」、「ｇ」の部分が、撮影したい動作部分「選手１」、「選手２」、「選手３」とは異なる冗長な部分を示している。
【００８３】
撮影データ「５−３」は、ＨＤＤ１１２上の動画像バッファ記録領域に記録される一連の動画像データを示しており、所定の記憶容量に達すると、領域の最初の部分から上書きされるリングバッファ形態となっている。
【００８４】
フォーマット形態「５−４」は、一連の動画像データのフォーマット形態を表しており、ＭＰＥＧ２のＳＨ（Ｓｅｑｕｅｎｃｅ  Ｈｅａｄｅｒ）とＧＯＰ（Ｇｒｏｕｐ  ｏｆ  Ｐｉｃｔｕｒｅｓ）の連続した様子を示している。フォーマット形態の詳細は、図４〜図６を参照して第１の実施の形態で説明したものと同じであるので、説明を省略する。
【００８５】
ファイル構成「５−５」は、後述するステップＳ４１５で転送（コピー）開始されたときに、一連の動画像データの中から、ＨＤＤ１１２上の別領域に記録される特定のデータを示している。
【００８６】
図７に戻って、ステップＳ４２３では、ユーザにより操作部１１６の撮影終了ボタンが押されたか否かを検出し、押された場合にはステップＳ４２４に進み、押されていない場合にはステップＳ４０４に進む。
【００８７】
ステップＳ４０４では、第１回目の動画像ファイル作成であるか否かの判定を行う。第１回目の動画像ファイル作成である場合には、ステップＳ４０５に進み、第２回目以降の動画像ファイル作成である場合には、ステップＳ４２０に進む。
【００８８】
撮影者が、操作部１１６に含まれるトリガボタンを押すことにより、動画像ファイルに格納すべき一連の映像の最初の位置（図９の撮影シーン「５−１」の画面「Ｅ」に相当）を指定する。ステップＳ４０５では、トリガボタンを押すことで発生される最初位置指定信号が入力したか否かを判別する。この最初位置指定信号が入力していれば、ステップＳ４０６に進み、入力していなければ、ステップＳ４２３に戻る。
【００８９】
ステップＳ４０６では、ステップＳ４０３で記録が開始された一連の動画像信号の内、最初位置指定信号が入力されたときに記録されようとしているフレーム（画像）のタイムコード（タイムコード保持値１）を取得し保持する。タイムコード取得は、ＧＯＰの先頭のＧＯＰヘッダ（ｇｒｏｕｐ  ｏｆ  ｐｉｃｔｕｒｅｓ  ｈｅａｄｅｒ）を検出して、ＧＯＰヘッダ内に含まれるビデオデータのタイムコード（ｔｉｍｅ  ｃｏｄｅ）を参照することによって行う。
【００９０】
撮影者は、操作部１１６に含まれるトリガボタンにより、基準としたいタイミングで指示信号（トリガ）を入力する。ステップＳ４０７では、この指示信号が入力されたか否かを判別する。基準タイミングは、例えば図７の撮影シーン「５−１」の画面「Ｆ」に示す映像に相当するタイミング（トリガ位置）である。これは、スキーのポール競技などでは、ある任意に決めたポールの横を競技者が通過したタイミングなどであり、このタイミングでトリガボタンを押すことで、そのポール横を通過する映像が基準となり、この基準の前後の滑りを再生時に容易に視聴することが可能となる。
【００９１】
ステップＳ４０８では、指示信号が入力されたことを受けて、ステップＳ４０３で記録開始された一連の動画像信号の内、指示信号が入力されたときに記録されようとしているフレーム（画像）のタイムコード（タイムコード保持値２）を取得し保持する。
【００９２】
ステップＳ４０９では、指示信号が入力されたときに記録されようとしているフレーム（画像）に対して、再生時に検索フラグとして利用するためのトリガフラグをヘッダ情報等とともにＨＤＤ１１２に記録する。
【００９３】
撮影者が、操作部１１６に含まれるトリガボタンを押すことにより、動画像ファイルに格納すべき一連の映像の最後の位置（図９の撮影シーン「５−１」の画面「Ｇ」に相当）を指定する。ステップＳ４１０では、トリガボタンを押すことで発生される最後位置指定信号が入力したか否かを判別する。この最後位置指定信号が入力すれば、ステップＳ４１１に進む。
【００９４】
ステップＳ４１１では、ステップＳ４０３で記録が開始された一連の動画像信号の内、最後位置指定信号が入力されたときに記録されようとしているフレーム（画像）のタイムコード（タイムコード保持値３）を取得し保持する。
【００９５】
ステップＳ４１２では、指示信号（トリガ）前後の期間（時間）である第１の期間および第２の期間の算出を、下記数式に基づいて行う。
【００９６】
第１の期間＝タイムコード保持値２−タイムコード保持値１
第２の期間＝タイムコード保持値３−タイムコード保持値２
ステップＳ４１３では、ステップＳ４０３で記録開始した一連の動画信号の内から、ステップＳ４０８で保持したタイムコード保持値２または後述のステップＳ４２１で保持するタイムコード保持値を基準に、ステップＳ４１２で算出した第１の期間だけ遡ったフレーム（画像）位置を検索（ランダムアクセス）する。
【００９７】
ステップＳ４１４では、ステップＳ４１３で検索したフレーム（画像）から、第１および第２の期間を合算した時間分の動画像データの上に、ＨＤＤ１１２に書き込み中の一連の動画像データを上書きしないように、ＨＤＤ１１２のファイル管理をしているＦＡＴ（Ｆｉｌｅ  Ａｌｌｏｃａｔｉｏｎ  Ｔａｂｌｅ）情報を管理する。
【００９８】
ステップＳ４１５では、ステップＳ４１３で検索したフレーム（画像）を先頭にして、第１および第２の期間を合算した時間分の動画像データを１つの動画像ファイルとして、一連の動画像信号を記録しているＨＤＤ１１２の動画像バッファ記録領域とは別の領域に転送して格納する。
【００９９】
ステップＳ４１６では、第１および第２の期間を合算した時間分の動画像データがＨＤＤ１１２の動画像バッファ記録領域とは別の領域に格納されたか否かを判別する。格納されればステップＳ４１７に進む。なお、ステップＳ４０３で開始された一連の動画像データの記録を、ステップＳ４１５で開始された動画像ファイルの作成のための転送（コピー）が映像上、追い越さないものとする。
【０１００】
ステップＳ４１７では、ステップＳ４１５で開始された動画像の転送（コピー）を終了し、１つ分の動画像ファイルの作成を終了する。これによって、指示信号が入力されるトリガ位置のフレームより前の「第１の期間」の時間と、後の「第２の期間」の時間との合計時間分の動画像データを１つのファイルとして作成したことになる。
【０１０１】
ステップＳ４１８では、ステップＳ４１４で、作成する動画像ファイルのコピー元の上に、ＨＤＤ１１２に書き込み中の一連の動画像データが上書きされないようにしたＦＡＴ情報を、上書き可能なように変更（開放）する。
【０１０２】
ステップＳ４１９では、動画像ファイルとして作成されたファイルのファイル名を再生時のプレイリストファイルとしてＨＤＤ１１２の別途領域に登録する。プレイリストのファイル名は任意に設定されるが、分類整理の上で、撮影日時などが付加されるようにしてもよい。
【０１０３】
ところで、ステップＳ４０４で、第２回目以降の動画像ファイル作成であると判断された場合には、ステップＳ４２０に進み、ステップＳ４０７の処理と同様に、基準としたいタイミングで入力される指示信号（トリガ）が入力されたか否かを判別する。
【０１０４】
ステップＳ４２１では、指示信号が入力されたことを受けて、ステップＳ４０３で記録開始された一連の動画像信号の内、指示信号が入力されたときに記録されようとしているフレーム（画像）のタイムコード（タイムコード保持値）を取得し保持する。
【０１０５】
ステップＳ４２２では、指示信号が入力されたときに記録されようとしているフレーム（画像）に対して、再生時に検索フラグとして利用するためのトリガフラグをヘッダ情報等とともにＨＤＤ１１２に記録する。
【０１０６】
そして前述のステップＳ４１３以降に進む。
【０１０７】
ここで例としてあげるスキー競技の場合、スキー選手の滑走速度が一定ではないので、常時、第１および第２の期間に基づいて、ステップＳ４１３以降で第２回目以降の動画像ファイル作成を行うと、再生画面においては、必ずしも図９の撮影シーン「５−１」の画面「Ｅ」や画面「Ｇ」のような位置に選手がいるとは限らない。しかしながら、撮影者が、図９の撮影シーン「５−１」の画面「Ｆ」のような位置に選手が滑ってきた時にトリガボタンを押して指示信号を入力することで、基準位置を中心にした主なる部分の映像は確実に確保されることになる。
【０１０８】
ステップＳ４２３で、ユーザにより操作部１１６の撮影終了ボタンが押されたと判断された場合には、ステップＳ４２４に進み、ステップＳ４０３で開始されたＨＤＤ１１２への動画像データ（ＭＰＥＧ２ストリーミングデータ）の記録を終了する。
【０１０９】
ステップＳ４２５で本処理を終了し、必要に応じてステップＳ４０１から再びスタートする。
【０１１０】
ところで一方、図８中の点線で示したステップＳ４＊は、ステップＳ４１５〜Ｓ４１８の代わりに実行するステップとして想定したものである。すなわち、ステップＳ４１５〜Ｓ４１８のように、トリガ位置のフレームを中心にその前後のフレームの動画像データを１つの動画像ファイルとして作成する際に、一連の動画像データを記録している動画像バッファ記録領域から別の領域に転送（コピー）することによってファイル作成を行うのではなく、ステップＳ４＊では、動画像バッファ記録領域内で、ＨＤＤ１１２のＦＡＴ情報を変更することによってファイル作成を行う。ステップＳ４＊による方法では、データを移動することなくファイル化するが可能である。
【０１１１】
以上のように第２の実施の形態では、トリガ位置を示す指示信号を撮影者が任意に入力でき、また、その指示信号の前後の映像をどれぐらいの期間に亘って１つの動画像ファイルに格納するかを、撮影者が任意に決められる。
【０１１２】
これにより、ゴルフショットの練習などのように、ある程度、一定のリズムで動作が繰り返される場合の映像を動画像ファイルとして作成するときだけでなく、スキー競技の回転種目での撮影のように、ポールセットをする斜面やポールセットの仕方により、基準となるトリガ位置から前後の映像期間を予測することが困難な場合にも対応することができる。また、単純に数字の入力などによって前後の映像期間を指定するのではなく、例えば第１滑走者の滑降を基準とすることで、容易に次以降の滑走者の映像を動画像ファイルとして生成することができる。結果として、スキーのポール回転競技を複数回に亘って撮影した際に、映像の冗長な部分を排除して、撮影者の意図したタイミングを基準として、その前後の所定の区間だけを記録することが可能となる。
【０１１３】
［他の実施の形態］
なお、本発明の目的は、各実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【０１１４】
この場合、記憶媒体から読み出されたプログラムコード自体が前述した各実施の形態の機能を実現することになり、そのプログラムコードを記憶した記憶媒体は本発明を構成することになる。
【０１１５】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等を用いることができる。
【０１１６】
また、コンピュータが読み出したプログラムコードを実行することにより、上記各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１１７】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【０１１８】
以上のように、本発明の様々な実施の形態を示し説明したが、以下に本発明の実施態様の例を列挙する。
【０１１９】
〔実施態様１〕  連続する一連の動画像信号を生成する生成手段と、
前記生成手段によって生成された一連の動画像信号を記録媒体に記録する記録手段と、
前記記録媒体に記録された一連の動画像信号から、与えられた指示信号に対応するフレーム画像の前後の所定期間に亘る動画像信号を抽出する抽出手段と、
前記抽出手段によって抽出された動画像信号を基に１つの動画像ファイルを作成するファイル作成手段と
を備えることを特徴とする映像記録装置。
【０１２０】
〔実施態様２〕  前記抽出手段は、前記指示信号に対応するフレーム画像の直前の第１の所定期間に亘る動画像信号と、前記指示信号に対応するフレーム画像の直後の第２の所定期間に亘る動画像信号とを、前記一連の動画像信号から抽出することを特徴とする実施態様１記載の映像記録装置。
【０１２１】
〔実施態様３〕  前記第１の所定期間及び前記第２の所定期間は、任意に設定されることを特徴とする実施態様２記載の映像記録装置。
【０１２２】
〔実施態様４〕  前記第１の所定期間の始点及び前記第２の所定期間の終点、ならびに前記指示信号は、外部から任意に設定されることを特徴とする実施態様２記載の映像記録装置。
【０１２３】
〔実施態様５〕  前記一連の動画像信号を基に前記指示信号を発生する指示信号発生手段を、更に備えることを特徴とする実施態様１記載の映像記録装置。
【０１２４】
〔実施態様６〕  前記指示信号発生手段は、前記一連の動画像信号を構成する各フレーム画像における所定の領域の画像信号に基づいて前記指示信号を発生することを特徴とする実施態様５記載の映像記録装置。
【０１２５】
〔実施態様７〕  前記指示信号発生手段は、前記一連の動画像信号と共に生成された音声信号を基に前記指示信号を発生することを特徴とする実施態様１記載の映像記録装置。
【０１２６】
〔実施態様８〕  前記指示信号発生手段は、前記音声信号と前記一連の動画像信号とを基に前記指示信号を発生することを特徴とする実施態様７記載の映像記録装置。
【０１２７】
〔実施態様９〕  前記指示信号が発生された時刻または該発生の事実を表す情報を、該指示信号に対応するフレーム画像のデータに付加する付加手段を、更に備えることを特徴とする実施態様１記載の映像記録装置。
【０１２８】
〔実施態様１０〕  前記ファイル作成手段によって作成された動画像ファイルを複数再生する場合の再生方法を指定する再生リストを生成する再生リスト生成手段を、さらに備えることを特徴とする実施態様１記載の映像記録装置。
【０１２９】
〔実施態様１１〕  前記再生リスト生成手段は、前記ファイル作成手段によって動画像ファイルが作成されるごとに前記再生リストを生成することを特徴とする実施態様１０記載の映像記録装置。
【０１３０】
〔実施態様１２〕  前記記録媒体はランダムアクセス可能な記録媒体であり、前記記録手段は、前記記録媒体の所定の領域に対して前記一連の動画像信号を循環的に記録することを特徴とする実施態様１記載の映像記録装置。
【０１３１】
〔実施態様１３〕  前記ファイル作成手段は、前記記録媒体の前記所定の領域以外の他の領域に、前記抽出手段によって抽出された動画像信号を記録して１つの動画像ファイルを作成することを特徴とする実施態様１２記載の映像記録装置。
【０１３２】
〔実施態様１４〕  連続する一連の動画像信号を生成する生成ステップと、
前記生成ステップによって生成された一連の動画像信号を記録媒体に記録する記録ステップと、
前記記録媒体に記録された一連の動画像信号から、与えられた指示信号に対応するフレーム画像の前後の所定期間に亘る動画像信号を抽出する抽出ステップと、
前記抽出ステップによって抽出された動画像信号を基に１つの動画像ファイルを作成するファイル作成ステップと
を備えることを特徴とする映像記録方法。
【０１３３】
〔実施態様１５〕  連続する一連の動画像信号を生成する生成ステップと、
前記生成ステップによって生成された一連の動画像信号を記録媒体に記録する記録ステップと、
前記記録媒体に記録された一連の動画像信号から、与えられた指示信号に対応するフレーム画像の前後の所定期間に亘る動画像信号を抽出する抽出ステップと、
前記抽出ステップによって抽出された動画像信号を基に１つの動画像ファイルを作成するファイル作成ステップと
を有することを特徴とする、コンピュータで実行可能なプログラム。
【０１３４】
〔実施態様１６〕  連続する一連の動画像信号を生成する生成ステップと、
前記生成ステップによって生成された一連の動画像信号を記録媒体に記録する記録ステップと、
前記記録媒体に記録された一連の動画像信号から、与えられた指示信号に対応するフレーム画像の前後の所定期間に亘る動画像信号を抽出する抽出ステップと、
前記抽出ステップによって抽出された動画像信号を基に１つの動画像ファイルを作成するファイル作成ステップと
をプログラムとして記憶した、コンピュータにより読み出し可能な記憶媒体。
【０１３５】
【発明の効果】
以上詳述したように本発明によれば、例えば、ゴルフ練習場での打ちっぱなし練習を撮影した際には、撮影映像におけるそれぞれのゴルフスイング間の冗長な部分を排除した記録を実現できる。ここでは、ゴルフスイングのボールに対するインパクトしたタイミングを基準として、その前後の映像区間だけを１つの動画像ファイルとして記録することを繰り返すための制御手法を実現している。
【０１３６】
また、ゴルフショットの練習など、ある程度、一定のリズムでの映像を動画像ファイルとするときだけでなく、スキー競技のポール練習や大会での撮影のように、ポールセットをする斜面やポールセットの仕方により、基準となるトリガ位置の前後の映像期間を予め予測することが困難な場合や、音や映像から基準となる指示信号のタイミングが作れない状況下での撮影にも柔軟に対応することが可能となる。
【０１３７】
更に、本発明により複数生成される動画像ファイルを再生する際の利便性のために、撮影中に再生時の再生動画像ファイルを決めるためのプレイリスト（再生リスト）を同時に作成し、記録媒体内の異なる日時や場所で作成された複数の動画像ファイルの再生を容易にすることをも実現している。
【０１３８】
更に上記の実施態様ごとに述べるならば、実施態様２に記載の映像記録装置では、前記指示信号をトリガとして、その前後の映像部分を含んだ動画像ファイルが生成されるので、第１及び第２の所定期間を設定することにより、撮影映像の冗長部を実用的に排除した動画像ファイルを複数生成できる。
【０１３９】
続いて、実施態様５に記載の映像記録装置では、例えばゴルフフォームの撮影などでは、スイングやボールの飛び出しなどを映像的に検出することにより、前記指示信号を発生することができる。
【０１４０】
実施態様６に記載の映像記録装置は、映像の変化を簡便に検出するために、例えばゴルフのスイング練習の撮影などの場合には、ボールを囲む矩形領域を指定するなどして、その矩形領域内の輝度やクロマの変化量を検出する。これにより、検出回路の構成や検出方法の簡易化を図れる。勿論、ボールを囲む領域は矩形に限らず、円形などであってもよい。
【０１４１】
実施態様７に記載の映像記録装置は、実施態様５における動画像信号に代わり、指示信号を発生するために音声を利用する。ゴルフのスイング練習では、ボールのショット音などを検出する。
【０１４２】
実施態様８に記載の映像記録装置は、音声信号と動画像信号とを用いて指示信号を発生するのでは、指示信号のタイミング検出精度を上げることが可能となる。
【０１４３】
実施態様９に記載の映像記録装置は、再生時などに前記情報をサーチすることにより、指示信号に対応したフレーム画像の頭出しなどを容易に行うことができる。
【０１４４】
実施態様１０に記載の映像記録装置は、再生時に複数の動画像ファイルの中から、所望の一連の映像を再生することを容易にする再生リストの生成が可能となる。
【０１４５】
実施態様１１に記載の映像記録装置は、撮影単位の再生リストが生成されるので、撮影日時などにより再生リストを選択することで、そのリストに含まれる動画像ファイル群の再生、コピー、編集等が容易に行える。
【０１４６】
実施態様１２に記載の映像記録装置は、メモリやＨＤＤ、ＤＶＤなど、テープ記録媒体では実現困難な記録データへのアクセスの即時性を持つことで、実用的なシステム構成を可能とする。
【０１４７】
実施態様１３に記載の映像記録装置は、１つの動画像ファイルを生成する際に、記録媒体上の一連の動画像信号を記録している所定の領域以外の他の領域に動画像ファイルを生成する。これにより、動画像ファイルを別データによる上書きなどから保護することが可能となる。
【図面の簡単な説明】
【図１】本発明に係る映像記録装置の第１の実施の形態の構成を示すブロック図である。
【図２】システム制御部において実行される制御処理の手順を示すフローチャート（１／２）である。
【図３】システム制御部において実行される制御処理の手順を示すフローチャート（２／２）である。
【図４】撮影シーン、撮影の流れ、撮影データ、フォーマット形態、ファイル構成を表したイメージ図である。
【図５】撮影シーン、撮影の流れ、撮影データ、フォーマット形態、ファイル構成を表したイメージ図である。
【図６】撮影シーン、撮影の流れ、撮影データ、フォーマット形態、ファイル構成を表したイメージ図である。
【図７】第２の実施の形態におけるシステム制御部において実行される制御処理の手順を示すフローチャート（１／２）である。
【図８】第２の実施の形態におけるシステム制御部において実行される制御処理の手順を示すフローチャート（２／２）である。
【図９】第２の実施の形態における撮影シーン、撮影の流れ、撮影データ、フォーマット形態、ファイル構成を表したイメージ図である。
【図１０】第２の実施の形態における撮影シーン、撮影の流れ、撮影データ、フォーマット形態、ファイル構成を表したイメージ図である。
【図１１】第２の実施の形態における撮影シーン、撮影の流れ、撮影データ、フォーマット形態、ファイル構成を表したイメージ図である。
【符号の説明】
１０１  レンズ部
１０２  撮像素子（ＣＣＤ）
１０３  撮像素子駆動部
１０４  ＣＤＳ・ＡＧＣ部
１０５  Ａ／Ｄ変換器
１０６  カメラ信号処理部
１０７  マイク
１０８  メモリ制御部
１０９  汎用記憶部
１１０  ビデオ制御部
１１１  キャラクタジェネレータ部
１１２  ＨＤＤ
１１３  システム制御部
１１４  外部記録媒体接続インタフェース
１１５  外部記憶媒体（メモリカード）
１１６  操作部
１１７  計時部
１１８  Ｄ／Ａ変換器
１１９  表示部
１２０  ジャイロセンサ
【図１】
2004173202.tif 000003
【図２】
2004173202.tif 000004
【図３】
2004173202.tif 000005
【図４】
2004173202.tif 000006
【図５】
2004173202.tif 000007
【図６】
2004173202.tif 000008
【図７】
2004173202.tif 000009
【図８】
2004173202.tif 000010
【図９】
2004173202.tif 000011
【図１０】
2004173202.tif 000012
【図１１】
2004173202.tif 000013